(57)【要約】【課題】情報の漏洩を抑制することができる画像表示装置および画像表示システムを提供する。【解決手段】この文書表示システム１において、文書表示装置４Ａの表示部４０に機密情報を隠匿した複数の選択用の機密保持データを表示し、操作部４２の操作により１つの機密保持データを選択し、１つの機密保持データに対応するイメージデータの送信を文書管理サーバ３Ａに要求すると、文書管理サーバ３Ａからイメージデータが送信され、そのイメージデータを表示部４０に表示する。【選択図】図１
2008134418.tif 000002
【特許請求の範囲】
【請求項１】
書込外力に応じて画像が書換可能に形成され且つ当該書込外力を除去した後も形成された画像を表示保持する表示部と、
ネットワークに接続された画像情報送信装置に対して第１のページの該画像情報を要求する要求手段と、
前記要求手段により要求された該第１のページのビットマップ形式の画像情報を順次取得するバッファメモリと、
該画像情報が前記バッファメモリに順次取得されるのと並行して、該画像情報に含まれる各画素の情報に応じて前記表示部に対して書込外力を印加する書込外力印加手段と、
を備え、
前記バッファメモリに取得された該画像情報は、前記書込み外力印加手段により使用された後に消去されることを特徴とする画像表示装置。
【請求項２】
ネットワークを介して入力された要求信号に応じて、ビットマップ形式の画像情報をネットワークを介して順次伝送する画像情報送信手段と、
書込外力に応じて画像が書換可能に形成され且つ当該書込外力を除去した後も形成された画像を表示保持する表示部と、
ネットワークを介して前記画像情報送信手段に対して第１のページの該画像情報を要求する要求手段と、
前記画像情報送信手段から該第１のページの画像情報を順次取得するバッファメモリと、
該画像情報が前記バッファメモリに順次取得されるのと並行して、該画像情報に含まれる各画素の情報に応じて前記表示部に対して書込外力を印加する書込外力印加手段と、
を備え、
前記バッファメモリに取得された該画像情報は、前記書込み外力印加手段により使用された後に消去されることを特徴とする画像表示システム。
【請求項３】
前記画像情報送信手段は、前記要求手段から要求された第１のページの画像情報として、該第１のページの画像情報の少なくとも一部が欠落したビットマップ形式の画像情報を選択用画像として送信するとともに、前記要求手段からの要求に応じて、該第１のページの該少なくとも一部が欠落していないビットマップ形式の画像情報を閲覧用画像として伝送することを特徴とする請求項２に記載の画像表示システム。
【請求項４】
前記画像情報送信手段は、さらに該第１のページとは異なる第２のページのビットマップ形式の画像情報を閲覧用画像として伝送し、
前記バッファメモリは、該第１のページの選択用画像の画像情報と該第２のページの閲覧用画像の画像情報を取得し、
前記書込外力印加手段は、前記バッファメモリに記憶された該第１のページの選択用画像の画像情報と該第２のページの閲覧用画像の画像情報に応じて、該表示部に該第１のページの選択用画像と該第２のページの閲覧用画とを重畳させて表示させるように、該表示部に対し書込外力を印加することを特徴とする請求項３に記載の画像表示システム。
【請求項５】
前記画像情報送信手段は、該第１のページの選択用画像と該第２のページの閲覧用画像を一つの画像として合成して伝送することを特徴とする請求項４に記載の画像表示システム。
【請求項６】
前記書込外力印加手段は、前記表示部に該第２のページの閲覧用画像を表示した状態で、前記表示部の一部の領域に該第１のページの選択用画像を書き込むことを特徴とする請求項４に記載の画像表示システム。
【請求項７】
前記選択用の画像は、縮小画像であることを特徴とする請求項２乃至６のいずれか１項に記載の表示システム。
【請求項８】
前記要求手段は、前記表示部の表示能力を示す情報を前記画像情報送信手段に送信し、前記画像情報送信手段は前記表示部の表示能力を示す情報に応じて該画像情報の解像度を制御することを特徴とする請求項２乃至７のいずれか１項に記載の表示システム。
【発明の詳細な説明】
【技術分野】
【０００１】
本発明は、画像表示装置および画像表示システムに関する。
【背景技術】
【０００２】
電子ペーパは、無電源で画像の表示を保持可能なメモリ性を有することから、画像が表示された電子ペーパが持ち出された場合には、紙を用いた場合と同様に情報が漏洩するおそれがある。
【０００３】
電子ペーパが保持する情報の漏洩防止と電子ペーパの持出し防止を図った従来のセキュリティシステムとして、例えば、電子ペーパに通信手段を持たせ、特定電波の発信源を備えた規定領域から受信できなくなったときに、電子ペーパの表示を消去させる方法が知られている（特許文献１参照）。
【特許文献１】特開２００４−０３７８２９号公報
【発明の開示】
【発明が解決しようとする課題】
【０００４】
本発明の目的は、情報の漏洩を抑制することができる画像表示装置および画像表示システムを提供することにある。
【課題を解決するための手段】
【０００５】
本発明の一態様として、上記目的を達成するため、以下の画像表示装置および画像表示システムを提供する。
【０００６】
［１］書込外力に応じて画像が書換可能に形成され且つ当該書込外力を除去した後も形成された画像を表示保持する表示部と、ネットワークに接続された画像情報送信装置に対して第１のページの該画像情報を要求する要求手段と、前記要求手段により要求された該第１のページのビットマップ形式の画像情報を順次取得するバッファメモリと、該画像情報が前記バッファメモリに順次取得されるのと並行して、該画像情報に含まれる各画素の情報に応じて前記表示部に対して書込外力を印加する書込外力印加手段と、を備え、前記バッファメモリに取得された該画像情報は、前記書込み外力印加手段により使用された後に消去されることを特徴とする画像表示装置。
【０００７】
［２］ネットワークを介して入力された要求信号に応じて、ビットマップ形式の画像情報をネットワークを介して順次伝送する画像情報送信手段と、書込外力に応じて画像が書換可能に形成され且つ当該書込外力を除去した後も形成された画像を表示保持する表示部と、ネットワークを介して前記画像情報送信手段に対して第１のページの該画像情報を要求する要求手段と、前記画像情報送信手段から該第１のページの画像情報を順次取得するバッファメモリと、該画像情報が前記バッファメモリに順次取得されるのと並行して、該画像情報に含まれる各画素の情報に応じて前記表示部に対して書込外力を印加する書込外力印加手段と、を備え、前記バッファメモリに取得された該画像情報は、前記書込み外力印加手段により使用された後に消去されることを特徴とする画像表示システム。
【０００８】
［３］前記画像情報送信手段は、前記要求手段から要求された第１のページの画像情報として、該第１のページの画像情報の少なくとも一部が欠落したビットマップ形式の画像情報を選択用画像として送信するとともに、前記要求手段からの要求に応じて、該第１のページの該少なくとも一部が欠落していないビットマップ形式の画像情報を閲覧用画像として伝送することを特徴とする前記［２］に記載の画像表示システム。
【０００９】
［４］前記画像情報送信手段は、さらに該第１のページとは異なる第２のページのビットマップ形式の画像情報を閲覧用画像として伝送し、前記バッファメモリは、該第１のページの選択用画像の画像情報と該第２のページの閲覧用画像の画像情報を取得し、前記書込外力印加手段は、前記バッファメモリに記憶された該第１のページの選択用画像の画像情報と該第２のページの閲覧用画像の画像情報に応じて、該表示部に該第１のページの選択用画像と該第２のページの閲覧用画とを重畳させて表示させるように、該表示部に対し書込外力を印加することを特徴とする前記［３］に記載の画像表示システム。
【００１０】
［５］前記画像情報送信手段は、該第１のページの選択用画像と該第２のページの閲覧用画像を一つの画像として合成して伝送することを特徴とする前記［４］に記載の画像表示システム。
【００１１】
［６］前記書込外力印加手段は、前記表示部に該第２のページの閲覧用画像を表示した状態で、前記表示部の一部の領域に該第１のページの選択用画像を書き込むことを特徴とする前記［４］に記載の画像表示システム。
【００１２】
［７］前記選択用の画像は、縮小画像であることを特徴とする前記［２］乃至［６］のいずれか１つに記載の表示システム。
【００１３】
［８］前記要求手段は、前記表示部の表示能力を示す情報を前記画像情報送信手段に送信し、前記画像情報送信手段は前記表示部の表示能力を示す情報に応じて該画像情報の解像度を制御することを特徴とする前記［２］乃至［７］のいずれか１つに記載の表示システム。
【発明の効果】
【００１４】
請求項１に係る画像表示装置によれば、画像表示装置が持ち出されたり、解析されても、情報の漏洩を１つの表示用の画像に止めることができる。
【００１５】
請求項２に係る画像表示システムによれば、画像表示装置が持ち出されたり、解析されても、情報の漏洩を抑制することができる。
【００１６】
請求項３に係る画像表示システムによれば、閲覧用画像の表示前であれば情報の漏洩を画像情報の一部が欠落した情報程度に抑制できる。
【００１７】
請求項４に係る画像表示システムによれば、閲覧用画像以外の情報の漏洩を、画像情報の一部が欠落した選択用画像に含まれる情報程度に抑制することができる。
【００１８】
請求項５に係る画像表示システムによれば、画像表示装置が盗難や紛失などの事故があっても、表示部に表示されている画像情報程度に情報の流出が抑制できる。
【００１９】
請求項６に係る画像表示システムによれば、選択用画像を表示媒体の一部の領域に表示させるために、選択用画像を表示する際の画像情報の伝送量や書込み動作の負荷が低減できる。
【００２０】
請求項７に係る画像表示システムによれば、情報の流出が縮小された選択用画像程度に抑制される。
【００２１】
請求項８に係る画像表示システムによれば、取得した画像情報を表示部にあわせて調整する工程や回路が軽減される。
【発明を実施するための最良の形態】
【００２２】
本発明の実施の形態に係る画像表示装置は、書込外力に応じて画像が書換可能に形成され且つ当該書込外力を除去した後も形成された画像を表示保持する表示部と、ネットワークに接続された画像情報送信装置に対して第１のページの該画像情報を要求する要求手段と、前記要求手段により要求された該第１のページのビットマップ形式の画像情報を順次取得するバッファメモリと、該画像情報が前記バッファメモリに順次取得されるのと並行して、該画像情報に含まれる各画素の情報に応じて前記表示部に対して書込外力を印加する書込外力印加手段と、を備え、前記バッファメモリに取得された該画像情報は、前記書込み外力印加手段により使用された後に消去されるものである。
【００２３】
また、本発明の実施の形態に係る画像表示システムは、ネットワークを介して入力された要求信号に応じて、ビットマップ形式の画像情報をネットワークを介して順次伝送する画像情報送信手段と、書込外力に応じて画像が書換可能に形成され且つ当該書込外力を除去した後も形成された画像を表示保持する表示部と、ネットワークを介して前記画像情報送信手段に対して第１のページの該画像情報を要求する要求手段と、前記画像情報送信手段から該第１のページの画像情報を順次取得するバッファメモリと、該画像情報が前記バッファメモリに順次取得されるのと並行して、該画像情報に含まれる各画素の情報に応じて前記表示部に対して書込外力を印加する書込外力印加手段と、を備え、前記バッファメモリに取得された該画像情報は、前記書込み外力印加手段により使用された後に消去されるものである。
【００２４】
上記ビットマップ形式の画像情報は、画像を色のついたドットと呼ばれる点の羅列・集合として表現するデータ再現方式のことであり、本実施の形態では、ラスタ画像も含む。ビットマップ形式の規格としては、ＰＮＧ、ＪＰＥＧ、ＧＩＦ、ＢＭＰ、ＴＩＦＦ、ＰＩＣＴなどがあるが、独自の方式であっても構わない。点どうしを結ぶベクトルつまりは輪郭線を主とするベクタグラフィックス方式による画像表示では、表示画像の拡縮に対応してベクタデータを演算（ラスタライズ）し、ビットマップ形式のデータ化する必要があるため画像処理の負荷が大きくなるが、ビットマップ形式の画像情報はラスタライズの処理が不要、あるいは処理済みの状態であるため、ドットマトリクス方式の表示部での表示のために、小さい負荷で供することができる。このビットマップ形式の画像情報は、直接、または、規定の演算処理、データの画素数と表示部の画素数が不一致の場合のリサイズ演算後、あるいは所定のデータ圧縮方式もしくは画像圧縮方式により符号化されている場合にはこの情報の復号化後、といったラスタライズ処理と比べて定型的で負荷の小さい処理の後に、表示部の各画素を駆動する書込外力印加手段の駆動素子に駆動信号として供される。
【００２５】
上記書込外力印加手段から画素毎の画像情報に応じた書込み外力が印加されるように、各画素毎の画像情報が一時的に保持されるバッファメモリを備えており、この画素ごとの画像情報を参照して、その画素に対応する電界、磁界、熱、光、所定ＰＨの液体を付与することでの化学的作用等といった外力を表示部の表示材料に対し印加するように、駆動素子が動作する。
【００２６】
上記表示部は、画像を表示保持する領域としての表示部の内部に画像を構成する表示材料を含有し、この表示材料に書込外力（電気、磁気、熱、光、所定ＰＨの液体を付与することでの化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパーと称せられることが多い。
【００２７】
さらに、表示部は画像をドットマトリクス方式による画素の集合により表示する構成であり、表示画素とは別の箇所に設けた走査ＩＣとデータＩＣにより電極列に選択的に電圧印加することで順次各画素に画像を表示させる表示単純マトリクス駆動や、各画素の付近に設けられたＴＦＴ等の駆動素子を選択的に駆動させることで各画素に画像を表示させるアクティブマトリクス駆動によって走査書き換えがなされる。表示部の表示原理に応じて、電界の変わりに発熱素子を配置したり、電圧印加に伴うｐＨ変化を生じさせるように電極を配置させる。
【００２８】
上記バッファメモリは、画像情報送信手段から送信されたドットマトリクス形式の画像情報を一時的に記憶するメモリであり、この画像情報は書込み外力印加手段により画像表示使用された後に、画像表示装置のＣＰＵ等の制御回路によるデータの消去工程やメモリ消去信号を記憶素子に入力することで消去するか、消去工程をあえて設けずにその後に取得された画像情報でメモリ内容を上書きすることで順次消去される。容量は１ページ分以下とすることで、表示されている情報以外の情報が残存することによる情報漏洩のリスクが低減される。バッファメモリをＦＩＦＯ方式のメモリにより構成することで、過去の情報の残存リスクがさらに低減される。なお、バッファメモリとしてページメモリ（フレームメモリ）だけでなく、１〜複数ライン分を記憶するラインメモリとして構成することもでき、このときラインメモリは書込外力印加手段を構成する回路素子が集積された集積回路（例えばデータＩＣ）内に一体化されていてもよい。
【００２９】
前記画像情報送信手段は、前記要求手段から要求された第１のページの画像情報として、該第１のページの画像情報の少なくとも一部が欠落したビットマップ形式の画像情報を選択用画像として送信するとともに、前記要求手段からの要求に応じて、該第１のページの該少なくとも一部が欠落していないビットマップ形式の画像情報を閲覧用画像として伝送する構成としてもよい。
【００３０】
上記要求手段は、所定ページの画像情報をネットワークを通じて要求する手段であり、表示部と一体化されていても、分離されていてもよい。要求手段の態様としては、押しボタン型の電気スイッチ（ボタン）、タッチセンサ、音声や光センサなど各種スイッチを使用することができる。要求手段を構成するセンシング部の数は１以上であればよい。１つのボタンの押圧回数、継続時間あるいは押圧間隔で各種動作を要求することができる。もちろん複数のセンシング部を設け、例えばページの前後移動、表示部でのサムネイル画像の表示・非表示の選択など、多様な操作を可能とすることもできる。
【００３１】
上記表示部で該所定ページの画像情報を表示するに先立って、少なくとも画像情報の一部が欠落したビットマップ形式の画像情報を画像情報送信手段に要求すると、そのページの通常表示の画像よりも情報の一部を欠落させた情報を選択用の画像として伝送する。情報の一部を欠落させる例としては、画像の解像度を通常表示時よりも低下させる、画像情報に含まれる文字情報を判読不能な状態に加工する、逆に文字以外の画像を欠落させる等が考えられるが、選択用画像として通常よりも情報が欠落した画像であればよい。
【００３２】
前記画像情報送信手段は、さらに該第１のページとは異なる第２のページのビットマップ形式の画像情報を閲覧用画像として伝送し、前記バッファメモリは、該第１のページの選択用画像の画像情報と該第２のページの閲覧用画像の画像情報を取得し、前記書込外力印加手段は、前記バッファメモリに記憶された該第１のページの選択用画像の画像情報と該第２のページの閲覧用画像の画像情報に応じて、該表示部に該第１のページの選択用画像と該第２のページの閲覧用画とを重畳させて表示させるように、該表示部に対し書込外力を印加する構成としてもよい。
【００３３】
上記表示部には、閲覧用の画像が略全面に書き込まれるが、その一部の領域に選択用画像とを表示させる。この選択用画像の表示・非表示は、予めシステムで設定しても、ボタンのオンオフ等の操作によって切り替えてもよい。
【００３４】
前記画像情報送信手段は、該第１のページの選択用画像と該第２のページの閲覧用画像を一つの画像として合成して伝送する構成としてもよい。
【００３５】
このとき、表示装置側で選択画像の表示・非表示を切り替えるようにする場合、画像情報送信手段が選択画像の画像情報を閲覧用画像の所定領域に予め一つの画像として合成した画像情報を生成し、表示装置に対して伝送させることができる。
【００３６】
前記書込外力印加手段は、前記表示部に該第２のページの閲覧用画像を表示した状態で、前記表示部の一部の領域に該第１のページの選択用画像を書き込む構成としてもよい。
【００３７】
あるいは、閲覧用画像を表示部に書込み終えた状態で、画像情報送信手段から選択用画像を取得し、表示部の一部の領域にこれを書込むようにしてもよい。表示部は書込み外力を除去した後も画像を保持できるメモリ性を有するため、この表示部の一部の領域だけを選択的に書き換えることができる。
【００３８】
前記選択用の画像は、縮小画像でもよい。
【００３９】
前記要求手段は、前記表示部の表示能力を示す情報を前記画像情報送信手段に送信し、前記画像情報送信手段は前記表示部の表示能力を示す情報に応じて該画像情報の解像度を制御する構成としてもよい。
【００４０】
上記画像を要求する要求手段は、画像の要求時にその画像が表示される表示部の縦横の画素数、発色数といった情報を画像情報送信装置に対して通知するようにし、これに応じて画像情報送信装置側で解像度、色や階調変換を行った後の画像情報を送信するようにしてもよい。なお、表示部と表示部の表示能力の対応関係を画像情報送信装置側に記憶保持させて、要求手段からは表示部を識別するコード情報を送信して、これに応じて表示能力を判別させるようにしてもよい。
【００４１】
［第１の実施の形態］
図１は、本発明の第１の実施の形態に係る文書表示システム（画像表示システム）を示す図である。この文書表示システム１は、文書データを選択する制御用パーソナルコンピュータ（ＰＣ）２と、複数の文書データを蓄積するとともに、制御用ＰＣ２により選択された文書データを出力する文書管理サーバ３Ａと、文書管理サーバ３Ａから出力された文書データを表示する文書表示装置（画像表示装置）４Ａとを有して構成されている。
【００４２】
制御用ＰＣ２と文書管理サーバ３Ａとは、通信ケーブル５を介して接続されている。文書管理サーバ３Ａと文書表示装置４Ａとは、ZigBee（登録商標）、Bluetooth（登録商標）、無線ＬＡＮ(Local Area Network)、赤外線通信等の無線通信６によって通信が行われるが、通信ケーブルを用いてもよい。
【００４３】
制御用ＰＣ２は、この制御用ＰＣ２の各部を制御するＣＰＵと、各種のプログラムやデータを記憶する記憶部と、キーボード、マウス等の入力部と、液晶ディスプレイ等の表示部と、文書管理サーバ３Ａと通信を行う通信部とを備え、文書管理サーバ３Ａに蓄積されている文書データのうち文書表示装置４Ａに表示すべき文書を要求する機能を有する。なお、制御用ＰＣ２は、文書管理サーバ３Ａのターミナルでもよい。
【００４４】
文書表示装置４Ａは、無電源で画像の表示を保持可能なメモリ性（不揮発性）を有する表示部４０と、表示部４０を支持する枠部４１と、枠部４１に設けられた操作部４２とを備える。操作部４２は、ページ送りボタン４２０ａ、ページ戻しボタン４２０ｂおよび切替／確定４２１からなる。
【００４５】
表示部４０は、後述する複数の信号電極と、これらの信号電極に直交するように配置された後述する複数の走査電極と、複数の信号電極および複数の走査電極間に配置されたメモリ性を有する表示層とを備える。メモリ性を有する表示層としては、例えば、コレステリック液晶、強誘電性液晶等の液晶を用いることができる。なお、表示層として、液晶に限られず、帯電した粒子を移動させて表示を切り替える電気泳動方式、帯電した粒子を回転させて表示を切り替える粒子回転方式、磁気により粒子を移動させて表示を切り替える磁気泳動方式等の他の表示層を用いてもよい。メモリ性を有する表示層を用いることにより、画像の表示を保持するのにほとんど電力を必要としないため、省電力化が図れる。
【００４６】
また、表示層は、ネマティック液晶等の液晶を用いたＬＣＤ（液晶ディスプレイ）、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のメモリ性を有していないものであってもよい。メモリ性を有していない表示層を用いることにより、電源オフと同時に表示画像が消えるため、情報の漏洩をより抑制することができる。
【００４７】
図２は、文書管理サーバ３Ａのブロック図である。文書管理サーバ３Ａは、文書管理サーバ３Ａの各部を制御する制御部３０Ａと、文書データ１０を記憶するＨＤＤ等の記憶部３１と、制御用ＰＣ２によって選択された文書のページについてページ毎にページＩＤを生成するページＩＤ生成部３２と、選択された文書のページについて文書表示装置４Ａが表示可能な表示用のビットマップ形式のイメージデータを作成するイメージデータ作成部３３と、選択された文書のページについて機密情報を隠匿した選択用の機密保持データを作成する機密保持データ作成部３４と、文書表示装置４Ａと通信する通信部３５とを備える。なお、所定の文書を文書管理サーバ３Ａ等に登録する時や所定時刻などに、文書の選択の有無に関わらず、あらかじめビットマップ形式のイメージデータを自動的に生成して文書ファイル名と対応付けて記憶保持させておいてもよい。
【００４８】
記憶部３１に記憶される文書データ１０は、文書作成ソフトウェア等のアプリケーションソフトウェアによって作成されたデータであり、文書に限らず、図形、写真等の画像や、文書と図形、写真等が混在した画像であってもよい。
【００４９】
機密保持データ作成部３４は、例えば、文書データ１０に対して予め設定された文字列（例えば、電話番号）を検索し、それを元の意味が分からないように判読不可能な文字（例えば、＊＊＊）に変換するものであるが、この方法に限定されない。
【００５０】
図３は、文書表示装置４Ａのブロック図である。文書表示装置４Ａは、本装置４Ａの各部を制御する制御部４３Ａと、文書管理サーバ３Ａと通信する通信部４４と、通信部４４を介して取得した表示部４０に書き込むイメージデータを記憶する表示用メモリ４６と、操作部４２の操作に基づいて表示用メモリ４６に書き込まれたデータに基づいて信号電極４０１を駆動する信号電極駆動部４７Ａ、および走査電極４０２を図３の矢印の方向に順次走査する走査電極駆動部４７Ｂとを備える。
【００５１】
信号電極４０１および走査電極４０２は、信号電極駆動部４７Ａおよび走査電極駆動部４７Ｂによって単純マトリックス（パッシブマトリックス）駆動方式により駆動される。なお、対向する一対の電極として、全面電極と複数の画素電極を用い、互いに直交する複数のデータ線と複数の走査線との各交点にＴＦＴ等のアクティブ素子をそれぞれ接続し、アクティブマトリックス駆動により各画素を駆動してもよい。
【００５２】
（文書表示システムの動作）
次に、文書表示システム１の動作を図５に示すフローチャートに従って説明する。
【００５３】
図５は、文書管理サーバ３Ａの動作を示すフローチャートである。ユーザが制御用ＰＣ２の入力部を操作して文書表示装置４Ａに出力する文書とページを選択する（Ｓ１）。なお、文書のみを選択してもよい。これにより、文書中の個々のページを選択する手間を省くことができる。
【００５４】
文書管理サーバ３ＡのページＩＤ生成部３２は、選択された文書のページについてページ毎にページＩＤを生成する。イメージデータ作成部３３は、選択された文書のページについて文書表示装置４Ａで表示可能なビットマップ形式の閲覧用のイメージデータ（閲覧用画像）１１を作成する。機密保持データ作成部３４は、選択された文書のページについて画像の一部を欠落させることによって情報を隠匿したビットマップ形式の選択用のイメージデータである機密保持データ（選択用画像）１２を作成する（Ｓ２）。なお、イメージデータ作成部３３は、指定されたページのうち最初に表示する１ページのみについてイメージデータを作成し、後は要求のあったページについてイメージデータを作成してもよい。
【００５５】
制御部３０Ａは、機密保持データ１２の全ページに、ページＩＤ、およびデータが機密保持データかイメージデータかを識別するためのデータ識別情報を付加した閲覧用イメージファイルを通信部３５を介して文書表示装置４Ａに転送する。
【００５６】
文書表示装置４Ａの制御部４３Ａは、文書管理サーバ３Ａから転送されたイメージファイルを通信部４４により受信すると、データ識別情報に基づいて機密保持データ１２をページＩＤとともに機密保持データメモリ４５Ａに記憶する。
【００５７】
制御部４３Ａは、機密保持データメモリ４５Ａに記憶した機密保持データ１２を指定されたページについて表示用メモリ４６にも記憶し、信号電極駆動部４７Ａおよび走査電極駆動部４７Ｂによる駆動により表示部４０に機密保持データ１２を表示させる。すなわち、信号電極駆動部４７Ａは、表示用メモリ４６から１ライン毎に読み出したデータに基づく電圧を各信号電極４０１に印加する。走査電極駆動部４７Ｂは、信号電極駆動部４７Ａの電圧印加に同期して各走査電極４０２に選択電圧を順次印加する。表示が完了したならば、表示用メモリ４６の内容は消去される。
【００５８】
図４（ａ）は、表示部４０に表示された機密保持データの一例を示す。表示部４０に表示された機密保持データ１２は、電話番号等の機密情報１２０が隠匿されて表示される。
【００５９】
ここで、ユーザが、ページ送りボタン４２０ａまたはページ戻しボタン４２０ｂを押下してページの送りまたは戻しを行うと、制御部４３Ａは、ページ送りボタン４２０ａまたはページ戻しボタン４２０ｂの操作に基づいて対応する機密保持データ１２を機密保持データメモリ４５Ａから読み出して表示用メモリ４６に書き込む。続いて制御部４３Ａは、信号電極駆動部４７Ａおよび走査電極駆動部４７Ｂによる駆動により表示部４０に機密保持データ１２を表示させる。表示が完了したならば表示用メモリ４６の内容は消去される。
【００６０】
イメージデータとして表示を希望する機密保持データ１２が表示部４０に表示されると、ユーザは切替／確定ボタン４２１を押下する。制御部４３Ａは、その機密保持データのページＩＤとともにイメージデータの要求信号を通信部４４を介して文書管理サーバ３Ａに送信する（Ｓ３）。
【００６１】
文書管理サーバ３Ａの制御部３０Ａは、文書表示装置４Ａから要求信号を受けると（Ｓ４：Ｙｅｓ）、要求されたページＩＤに対応するイメージデータ１１を記憶部３１から読み出し、そのイメージデータ１１に、ページＩＤ、およびデータが機密保持データかイメージデータを識別するためのデータ識別情報を付加して通信部３５を介して文書表示装置４Ａに転送する（Ｓ５）。
【００６２】
文書表示装置４Ａの制御部４３Ａは、文書管理サーバ３Ａから転送されたイメージデータ１１を通信部４４により受信すると、データ識別情報に基づいてイメージデータ１１を表示用メモリ４６に記憶し、前述したように信号電極駆動部４７Ａおよび走査電極駆動部４７Ｂの駆動によって表示部４０にイメージデータ１１を表示させる。表示が完了したならば表示用メモリ４６の内容は消去される。
【００６３】
図４（ｂ）は、表示部４０に表示されたイメージデータの一例を示す。表示部４０に表示されたイメージデータ１１は、例えば、電話番号等の機密情報１２０が隠匿されずに表示される。
【００６４】
これにより、文書表示装置４Ａが持ち出されても、表示部４０に表示されている１ページ分のイメージデータの情報が漏洩するが、他のページについては機密情報が隠匿されているので、情報の漏洩を抑制することができる。
【００６５】
［第２の実施の形態］
図６は、本発明の第２の実施の形態に係る文書表示システム（画像表示システム）を示す図である。この文書表示システム１は、文書データを選択する制御用ＰＣ２と、複数の文書データを蓄積するとともに、制御用ＰＣ２により選択された文書データを出力する文書管理サーバ３Ｂと、文書管理サーバ３Ａから出力された文書データを表示する文書表示装置（画像表示装置）４Ｂとを有して構成されており、第１の実施の形態とは、文書管理サーバ３Ｂと文書表示装置４Ｂが異なる。
【００６６】
文書表示装置４Ｂは、第１の実施の形態と同様に、表示部４０と、枠部４１と、操作部４２とを備える。
【００６７】
図７は、文書管理サーバ３Ｂのブロック図である。文書管理サーバ３Ｂは、第１の実施の形態と同様に、制御部３０Ｂ、記憶部３１、ページＩＤ生成部３２、イメージデータ作成部３３および通信部３５を備えるが、第１の実施の形態の機密保持データ作成部３４の代わりに、選択された文書のページについて縮小データを作成する縮小データ作成部３６を備える。
【００６８】
縮小データ作成部３６は、文書データに含まれる機密情報が判読不可能となる程度に文書データを文書表示装置４Ｂが表示可能なイメージデータに変換するとともにイメージデータを縮小する。ここで、「イメージデータを縮小する」とは、総ピクセル数を減らすことをいい、例えば、イメージデータを間引いて縮小するが、縮小方法はこれに限定されない。
【００６９】
図８は、文書表示装置４Ｂのブロック図である。文書表示装置４Ｂは、第１の実施の形態と同様に、通信部４４、表示用メモリ４６、信号電極駆動部４７Ａおよび走査電極駆動部４７Ｂを備えるが、制御部４３Ｂおよび縮小データメモリ４５Ｂが異なる。
【００７０】
縮小データメモリ４５Ｂには、選択用の縮小データ１３がページＩＤとともに選択された全ページ分記憶される。
【００７１】
制御部４３Ｂは、操作部４２の操作により縮小データ１３の表示要求があった場合は、表示用メモリ４６の一部に形成された縮小データ書込み領域４６ａに縮小データ１３を書き込み、縮小データ１３に対応する信号電極４０１および走査電極４０２のみを駆動するように信号電極駆動部４７Ａおよび走査電極駆動部４７Ｂを制御する。走査電極駆動部４７Ｂは、図８の矢印に示す方向に走査電極４０２を順次走査するものであり、縮小データ書込み領域４６ａは、走査開始側に設けられている。これにより縮小データ１３の書き込みまでの時間を短縮することができる。
【００７２】
（文書表示システムの動作）
次に、文書表示システム１の動作を図１０に示すフローチャートに従って説明する。
【００７３】
図１０は、文書管理サーバ３Ｂの動作を示すフローチャートである。ユーザが制御用ＰＣ２の入力部を操作して文書表示装置４Ｂに出力する文書とページを選択する（Ｓ１１）。なお、文書のみを選択してもよい。これにより、文書中の個々のページを選択する手間を省くことができる。
【００７４】
文書管理サーバ３ＢのページＩＤ生成部３２は、選択された文書のページについてページ毎にページＩＤを生成する。イメージデータ作成部３３は、選択された文書のページについて文書表示装置４Ｂで表示可能なビットマップ形式の閲覧用のイメージデータ（閲覧画像）１１を作成する。縮小データ作成部３６は、選択された文書のページについてビットマップ形式のイメージデータである縮小データ（選択用画像）１３を作成する（Ｓ１２）。なお、イメージデータ作成部３３は、指定されたページのうち最初に表示する１ページのみについてイメージデータを作成し、後は要求のあったページについてイメージデータを作成してもよい。
【００７５】
制御部３０Ｂは、所定の１ページ（例えば、選択された全ページのうち最小ページ）のイメージデータ１１にページＩＤおよびデータ識別情報を付加し、縮小データ１３にページＩＤおよびデータ識別情報を付加したイメージファイルを通信部３５を介して文書表示装置４Ｂに転送する（Ｓ１３）。
【００７６】
文書表示装置４Ｂの制御部４３Ｂは、文書管理サーバ３Ｂから転送されたイメージファイルを通信部４４により受信すると、データ識別情報に基づいて、縮小データ１３をページＩＤとともに縮小データメモリ４５Ｂに記憶する。
【００７７】
制御部４３Ｂは、イメージデータ１１を表示用メモリ４６に記憶し、信号電極駆動部４７Ａおよび走査電極駆動部４７Ｂによる駆動により表示部４０にイメージデータ１１を表示させる。すなわち、信号電極駆動部４７Ａは、表示用メモリ４６から１ライン毎に読み出したデータに基づく電圧を各信号電極４０１に印加する。走査電極駆動部４７Ｂは、各走査電極４０２に選択電圧を順次印加する。表示が完了したならば表示用メモリ４６の内容は消去される。
【００７８】
図９（ａ）は、表示部４０に表示されたイメージデータ１１の一例を示す。表示部４０に表示されたイメージデータ１１は、機密情報が含まれている場合でもそれが隠匿されずに表示される。
【００７９】
ユーザが文書表示装置４Ｂの操作部４２の切替／確定ボタン４２１を操作すると、制御部４３Ｂは、第２のメモリ４５Ｂから縮小データ１３を読み出して表示用メモリ４６の縮小データ書込み領域４６ａに書き込み、信号電極駆動部４７Ａおよび走査電極駆動部４７Ｂによる駆動により表示部４０に表示されているイメージデータ１１の一部（右上）に縮小データ１３を表示（上書き）させる。すなわち、表示用メモリ４６の縮小データ書込み領域４６ａに対応する信号電極４０１および走査電極４０２のみを駆動して縮小データ１３を表示部４０に書き込む。縮小データ１３以外のイメージデータ１１の部分は、表示部４０が有するメモリ性により、電圧を印加しなくても表示が保持されている。
【００８０】
図９（ｂ）は、表示部４０に表示されたイメージデータ１１の一部に縮小データ１３が書き込まれた状態を示す。
【００８１】
ここで、ユーザが、ページ送りボタン４２０ａまたはページ戻しボタン４２０ｂを押下してページを送りまたは戻すと、制御部４３Ｂは、ページ送りボタン４２０ａ、ページ戻しボタン４２０ｂの操作に基づいて対応する縮小データ１３を第２のメモリ４５Ｂから読み出して表示用メモリ４６の縮小データ書込み領域４６ａに書き込む。信号電極駆動部４７Ａおよび走査電極駆動部４７Ｂによる駆動により表示部４０に縮小データ１３を表示させる。
【００８２】
イメージデータ１１として表示を希望する縮小データ１３が表示部４０に表示されると、ユーザは切替／確定ボタン４２１を押下する。制御部４３Ｂは、その縮小データ１３のページＩＤとともにイメージデータの要求信号を通信部４４を介して文書管理サーバ３Ｂに送信する（Ｓ１３）。
【００８３】
文書管理サーバ３Ｂの制御部３０Ｂは、要求されたページＩＤに対応するイメージデータ１１を記憶部３１から読み出してページＩＤとともに通信部３５を介して文書表示装置４Ｂに送信する（Ｓ１５）。
【００８４】
文書表示装置４Ｂの制御部４３Ｂは、文書管理サーバ３Ｂから転送されたイメージデータ１１を表示用メモリ４６に記憶し、前述したように信号電極駆動部４７Ａおよび走査電極駆動部４７Ｂの駆動によって表示部４０にイメージデータ１１を図９（ｃ）のように表示させる。表示が完了したならば表示用メモリ４６の内容は消去される。
【００８５】
これにより、文書表示装置４Ｂが持ち出されても、表示部４０に表示されている１ページ分のイメージデータの情報が漏洩するが、他のページについては機密情報が判読不可能に縮小されているので、情報の漏洩を抑制することができる。
【００８６】
［他の実施の形態］
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【００８７】
複数の機密保持データを縮小して表示部に表示してもよい。これにより、より一層機密情報を隠匿することができる。また、複数の機密保持データを縮小して表示部にマルチ表示してもよい。これにより、機密保持データを選択する場合に、ページ送りまたは戻り操作の回数を減らすことができる。
【００８８】
また、指定されたページのうち最初に表示する１ページについて閲覧用画像を文書管理サーバから文書表示装置に送信して閲覧用画像を表示させ、その後、指定された全ページについて選択用画像を文書管理サーバから文書表示装置に送信して文書表示装置の表示領域の一部（または表示領域全体）に選択用画像を表示させ、文書表示装置からの要求に応じて選択用画像に対応した閲覧用画像を文書管理サーバから文書表示装置に送信して表示させてもよい。
【図面の簡単な説明】
【００８９】
【図１】本発明の第１の実施の形態に係る文書表示システムを示す図である。
【図２】図１に示す文書管理サーバのブロック図である。
【図３】図１に示す文書表示装置のブロック図である。
【図４】（ａ）、（ｂ）は、図１に示す文書表示装置に表示される画像の一例を示す図である。
【図５】本発明の第１の実施の形態に係る文書管理サーバの動作を示すフローチャートである。
【図６】本発明の第２の実施の形態に係る文書表示システムを示す図である。
【図７】図６に示す文書管理サーバのブロック図である。
【図８】図６に示す文書表示装置のブロック図である。
【図９】（ａ）〜（ｃ）は、図６に示す文書表示装置に表示される画像の一例を示す図である。
【図１０】本発明の第２の実施の形態に係る文書管理サーバの動作を示すフローチャートである。
【符号の説明】
【００９０】
１  文書表示システム
２  制御用ＰＣ
３Ａ，３Ｂ  文書管理サーバ
４Ａ，４Ｂ  文書表示装置
５  通信ケーブル
６  無線通信
１０  文書データ
１１  イメージデータ
１２  機密保持データ
１３  縮小データ
３０Ａ，３０Ｂ  制御部
３１  記憶部
３２  ページＩＤ生成部
３３  イメージデータ作成部
３４  機密保持データ作成部
３５  通信部
３６  縮小データ作成部
４０  表示部
４１  枠部
４２  操作部
４３Ａ，４３Ｂ  制御部
４４  通信部
４５Ａ  機密保持データメモリ
４５Ｂ  縮小データメモリ
４６  表示用メモリ
４６ａ  縮小データ書込み領域
４７Ａ  信号電極駆動部
４７Ｂ  走査電極駆動部
１２０  機密情報
４０１  信号電極
４０２  走査電極
４２０ａ  ページ送りボタン
４２０ｂ  ページ戻しボタン
４２１  切替／確定ボタン
【図１】
2008134418.tif 000003
【図２】
2008134418.tif 000004
【図３】
2008134418.tif 000005
【図４】
2008134418.tif 000006
【図５】
2008134418.tif 000007
【図６】
2008134418.tif 000008
【図７】
2008134418.tif 000009
【図８】
2008134418.tif 000010
【図９】
2008134418.tif 000011
【図１０】
2008134418.tif 000012
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
書込外力に応じて画像が書換可能に形成され且つ当該書込外力を除去した後も形成された画像を表示保持する表示部と、
ネットワークを介して画像情報送信手段に対して前記表示部に表示する画像の該画像情報を要求する要求手段と、
前記画像情報送信手段から前記表示部全体に表示する所定の１ページ分の画像の画像情報を取得するバッファメモリと、
前記画像情報送信手段から前記表示部に表示する選択用画像の画像情報を取得して記憶する縮小データメモリと、
前記バッファメモリに取得された該画像情報に含まれる各画素の情報に応じて、前記所定の１ページ分の画像を前記表示部全体に表示させるか、あるいは、前記縮小データメモリに記憶された前記選択用画像を前記表示部に表示させるために、前記表示部に対して書込外力を印加する書込外力印加手段と、
を備える画像表示装置と、
前記画像表示装置から前記ネットワークを介して要求された前記所定の１ページ分の画像を前記表示部全体に表示させるためのビットマップ形式の画像情報を閲覧用画像として前記画像表示装置に伝送するとともに、少なくとも前記所定の１ページの画像と異なるページの画像を前記表示部に表示させる縮小画像であって該所定の１ページの画像と異なるページに含まれる情報を判読不能に加工するとともに画像のサイズを縮小化したビットマップ形式の画像情報を前記選択用画像として前記画像表示装置に送信する前記画像情報送信手段を備える文書管理サーバと、
を備える画像表示システムであって、
前記要求手段は、前記表示部に表示された選択用画像を前記表示部全体に表示させるための前記所定の１ページ分の画像として指定するように構成されるとともに、
前記バッファメモリに取得された前記所定の１ページ分の画像情報は、前記書込外力印加手段により使用された後に消去されることを特徴とする画像表示システム。
【請求項２】
前記書込外力印加手段は、前記バッファメモリに記憶された前記所定の１ページ分の閲覧用画像と前記縮小データメモリに記憶された前記選択用画像を、該表示部に重畳させて表示させるように、該表示部に対し書込外力を印加することを特徴とする請求項１に記載の画像表示システム。
【請求項３】
前記表示部は、単純マトリクス方式により駆動される複数の交差電極を備え、
前記書込外力印加手段は、前記表示部に前記閲覧用画像を表示した状態で、前記表示部の一部の領域を駆動するための交差電極を前記選択用画像の画像情報に基づいて動作させて、前記表示部の一部の領域に前記選択用画像を書き込むことを特徴とする請求項２に記載の画像表示システム。
【手続補正３】
【補正対象書類名】明細書
【補正対象項目名】０００１
【補正方法】変更
【補正の内容】
【０００１】
本発明は、画像表示システムに関する。
【手続補正４】
【補正対象書類名】明細書
【補正対象項目名】０００４
【補正方法】変更
【補正の内容】
【０００４】
本発明の目的は、情報の漏洩を抑制することができる画像表示システムを提供することにある。
【手続補正５】
【補正対象書類名】明細書
【補正対象項目名】０００５
【補正方法】変更
【補正の内容】
【０００５】
本発明の一態様として、上記目的を達成するため、以下の画像表示システムを提供する。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
［２］書込外力に応じて画像が書換可能に形成され且つ当該書込外力を除去した後も形成された画像を表示保持する表示部と、ネットワークを介して画像情報送信手段に対して前記表示部に表示する画像の該画像情報を要求する要求手段と、前記画像情報送信手段から前記表示部全体に表示する所定の１ページ分の画像の画像情報を取得するバッファメモリと、前記画像情報送信手段から前記表示部に表示する選択用画像の画像情報を取得して記憶する縮小データメモリと、前記バッファメモリに取得された該画像情報に含まれる各画素の情報に応じて、前記所定の１ページ分の画像を前記表示部全体に表示させるか、あるいは、前記縮小データメモリに記憶された前記選択用画像を前記表示部に表示させるために、前記表示部に対して書込外力を印加する書込外力印加手段と、を備える画像表示装置と、前記画像表示装置から前記ネットワークを介して要求された前記所定の１ページ分の画像を前記表示部全体に表示させるためのビットマップ形式の画像情報を閲覧用画像として前記画像表示装置に伝送するとともに、少なくとも前記所定の１ページの画像と異なるページの画像を前記表示部に表示させる縮小画像であって該所定の１ページの画像と異なるページに含まれる情報を判読不能に加工するとともに画像のサイズを縮小化したビットマップ形式の画像情報を前記選択用画像として前記画像表示装置に送信する前記画像情報送信手段を備える文書管理サーバと、備える画像表示システムであって、前記要求手段は、前記表示部に表示された選択用画像を前記表示部全体に表示させるための前記所定の１ページ分の画像として指定するように構成されるとともに、前記バッファメモリに取得された前記所定の１ページ分の画像情報は、前記書込外力印加手段により使用された後に消去されることを特徴とする画像表示システム。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
［２］前記書込外力印加手段は、前記バッファメモリに記憶された前記所定の１ページ分の閲覧用画像と前記縮小データメモリに記憶された前記選択用画像を、該表示部に重畳させて表示させるように、該表示部に対し書込外力を印加することを特徴とする前記［１］に記載の画像表示システム。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
［３］前記表示部は、単純マトリクス方式により駆動される複数の交差電極を備え、前記書込外力印加手段は、前記表示部に前記閲覧用画像を表示した状態で、前記表示部の一部の領域を駆動するための交差電極を前記選択用画像の画像情報に基づいて動作させて、前記表示部の一部の領域に前記選択用画像を書き込むことを特徴とする前記［２］に記載の画像表示システム。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
請求項１に係る画像表示システムによれば、画像表示装置が持ち出されたり、解析されても、情報の漏洩を抑制することができる。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
請求項２に係る画像表示システムによれば、閲覧用画像以外の情報の漏洩を、画像情報の一部が欠落した選択用画像に含まれる情報程度に抑制することができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
請求項３に係る画像表示システムによれば、選択用画像を表示媒体の一部の領域に表示させるために、選択用画像を表示する際の画像情報の伝送量や書込み動作の負荷が低減できる。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００５０
【補正方法】変更
【補正の内容】
【００５０】
図３は、文書表示装置４Ａのブロック図である。文書表示装置４Ａは、本装置４Ａの各部を制御する制御部４３Ａと、文書管理サーバ３Ａと通信する通信部４４と、機密保持データメモリ４５Ａと、通信部４４を介して取得した表示部４０に書き込むイメージデータを記憶する表示用メモリ（バッファメモリ）４６と、操作部４２の操作に基づいて表示用メモリ４６に書き込まれたデータに基づいて信号電極４０１を駆動する信号電極駆動部４７Ａ、および走査電極４０２を図３の矢印の方向に順次走査する走査電極駆動部４７Ｂとを備える。
【手続補正２２】
【補正対象書類名】明細書
【補正対象項目名】００６９
【補正方法】変更
【補正の内容】
【００６９】
図８は、文書表示装置４Ｂのブロック図である。文書表示装置４Ｂは、第１の実施の形態と同様に、通信部４４、表示用メモリ（バッファメモリ）４６、信号電極駆動部４７Ａおよび走査電極駆動部４７Ｂを備えるが、制御部４３Ｂおよび縮小データメモリ４５Ｂが異なる。
【手続補正２３】
【補正対象書類名】明細書
【補正対象項目名】００７９
【補正方法】変更
【補正の内容】
【００７９】
ユーザが文書表示装置４Ｂの操作部４２の切替／確定ボタン４２１を操作すると、制御部４３Ｂは、縮小データメモリ４５Ｂから縮小データ１３を読み出して表示用メモリ４６の縮小データ書込み領域４６ａに書き込み、信号電極駆動部４７Ａおよび走査電極駆動部４７Ｂによる駆動により表示部４０に表示されているイメージデータ１１の一部（右上）に縮小データ１３を表示（上書き）させる。すなわち、表示用メモリ４６の縮小データ書込み領域４６ａに対応する信号電極４０１および走査電極４０２のみを駆動して縮小データ１３を表示部４０に書き込む。縮小データ１３以外のイメージデータ１１の部分は、表示部４０が有するメモリ性により、電圧を印加しなくても表示が保持されている。